(57)【要約】【課題】主としてコンピュータに接続されて用いられる光ディスク装置であっても安心してオーディオ機器に接続可能となるよう、オーディオ機器に接続されてもマルチセッション形式でデータが書き込まれた光ディスクのデータの認識および読み出しを行なうことができる光ディスク装置を提供する。【解決手段】マルチセッション方式でデータが書き込まれた光ディスク１０からデータを読み出すように制御する制御手段２８を具備する光ディスク装置３０において、制御手段２８は、光ディスク１０に書き込まれている複数のセッションのうち、光ディスク１０の最内周に書き込まれた最初のセッションのみを認識し、認識した最初のセッションのみを読み出すように制御可能である。【選択図】　　　　図１
2004127362.tif 000002
【特許請求の範囲】
【請求項１】
マルチセッション方式でデータが書き込まれた光ディスクからデータを読み出すように制御する制御手段を具備する光ディスク装置において、
前記制御手段は、
光ディスクに書き込まれている複数のセッションのうち、光ディスクの最内周に書き込まれた最初のセッションのみを認識し、該認識した最初のセッションのみを読み出すように制御可能であることを特徴とする光ディスク装置。
【請求項２】
光ディスクに書き込まれている複数のセッションのうち、光ディスクの最内周に書き込まれた最初のセッションのみを認識し、該認識した最初のセッションのみを読み出すように制御手段を動作させるか、または複数セッションの全てを認識し、全てのセッションを読み出すように制御手段を動作させるかをユーザが選択可能な動作選択スイッチを設けたことを特徴とする請求項１記載の光ディスク装置。
【請求項３】
デジタルデータをアナログデータに変換して音声信号として再生可能なオーディオ機器に接続可能であって、該オーディオ機器から送信されてくるコマンドにより動作制御され、且つマルチセッション方式でデータが書込まれた光ディスクからデータを読み出すように制御する制御手段を具備する光ディスク装置において、
オーディオ機器から送信されてくるコマンドであって、光ディスクに書き込まれている複数のセッションのうち、光ディスクの最内周に書き込まれた最初のセッションのみを認識し、該認識した最初のセッションのみを読み出すように制御手段を動作させるか、または複数セッションの全てを認識し、全てのセッションを読み出すように制御手段を動作させるかを指定する指定コマンドを受け付ける受信手段を具備し、
前記制御手段は、
該受信手段が受信した指定コマンドの内容に基づいて、光ディスクの最内周に書き込まれた最初のセッションのみを認識し、該認識した最初のセッションのみを読み出すように制御するか、または複数セッションの全てを認識し、全てのセッションを読み出すように制御するかどちらか一方の動作を行なうことを特徴とする光ディスク装置。
【発明の詳細な説明】
【０００１】
【発明の属する技術分野】
本発明は、マルチセッション形式によりデータが書込まれた光ディスクを読み出し可能な光ディスク装置に関する。
【０００２】
【従来の技術】
データを書き込み可能な光ディスクであるＣＤ−ＲやＣＤ−ＲＷ等においては、その書き込みの形式に様々な種類がある。このうちの１つにマルチセッションという形式がある。
マルチセッションについて、図５と図６に基づいて説明する。
マルチセッションは、光ディスク１０全面におけるデータの書き込みが終了していなくとも、現在のところ書き込んだ部分だけでもデータ読み出しが可能となるように考えられた形式である。
すなわち、マルチセッションは、所定のデータのまとまりを１セッションとして、セッション毎に光ディスク１０に書き込み可能としたものであり、セッション毎に追記（一旦データ書き込みが終了した後であってもその終了部分から続けてデータ書き込みを行なうこと）ができる書き込み形式である。
【０００３】
図５、図６では、例として光ディスク１０の内周側からセッション１、セッション２、セッション３と３つのセッションが書き込まれている。
また、図６に示すように各セッションは、リードイン、ユーザデータ、リードアウトの３つのデータをひとまとめにしたものから構成される。したがってマルチセッションで書き込まれた光ディスク１０中には、複数のリードインとリードアウトが存在している。
【０００４】
図６に示す、光ディスク１０中の各データについて説明する。
光ディスク１０の最内周にはＰＣＡ（Ｐｏｗｅｒ　Ｃａｒｉｂｒａｔｉｏｎ　Ａｒｅａ）が設けられている。ＰＣＡは、データ書き込み前にレーザパワーを校正するためにデータの試し書きを行なうエリアである。
ＰＣＡの外周側にはＰＭＡ（Ｐｒｏｇｒａｍ　Ｍｅｍｏｒｙ　Ａｒｅａ）が設けられている。ＰＭＡはデータの追記時に必要なアドレス情報等を一時的に保存しておくエリアである。
【０００５】
各セッション１〜３における各リードインは、各ユーザデータよりも内周側に設けられており、各セッションの開始が定義されている。
各リードインには、セッション中のトラック（セッションよりも小さい１つの記録単位：音楽データであれば１曲に該当）のアドレスが記載されたＴＯＣ（Ｔａｂｌｅ　ｏｆ　Ｃｏｎｔｅｎｔｓ）情報が記述されている。また、各リードインには、ＴＯＣ情報とともにマルチセッションで書き込まれたものである旨も記述されており、マルチセッションであるかそうでないかを判断できる。さらに、各リードインには、次のセッションのユーザデータの開始時間も記述されている。
各セッション１〜３における各リードアウトは、各ユーザデータよりも外周側に設けられ、各セッションの終了が定義される（非特許文献１参照）。
【０００６】
【非特許文献１】
中島平太郎、井橋孝夫、小川博司共著、「総合マルチメディア選書　ＣＤファミリー」　オーム社　平成８年４月２５日第１版　ｐ８９―ｐ９１
【０００７】
【発明が解決しようとする課題】
上述してきたマルチセッション形式は、主として通常のデータを書き込んでコンピュータ上で用いる場合に多く実施されている。これは、マルチセッション形式は国際規格としてのオレンジブックに準拠しているものであり、オーディオデータを取り扱う国際規格であるレッドブックではマルチセッション形式は採用されていないためである。
すなわち、コンピュータに接続されて用いられる光ディスク装置においては、マルチセッションであるか否かをイニシャライズ時に認識することができ、マルチセッションであると認識されれば各セッションを順に認識していくこととなる。
しかし、マルチセッション形式というデータ形式の存在が無いオーディオ機器にマルチセッション形式の光ディスクを装着した光ディスク装置を接続すると、マルチセッションの認識ができないオーディオ機器はエラーをおこす可能性があるという課題があった。
【０００８】
本発明者は、マルチセッション形式でデータが書き込まれた光ディスクを擬似的にシングルセッションとして認識することができれば、マルチセッションと言う概念が無いオーディオ機器に接続してもエラーが生じないのではないかと考え、本発明に想到した。
【０００９】
すなわち、本発明は上記課題を解決すべくなされ、その目的とするところは、主としてコンピュータに接続されて用いられる光ディスク装置であっても安心してオーディオ機器に接続可能となるよう、オーディオ機器に接続されてもマルチセッション形式でデータが書き込まれた光ディスクのデータの認識および読み出しを行なうことができる光ディスク装置を提供することにある。
【００１０】
【課題を解決するための手段】
本発明にかかる光ディスク装置によれば、マルチセッション方式でデータが書込まれた光ディスクからデータを読み出すように制御する制御手段を具備する光ディスク装置において、前記制御手段は、光ディスクに書込まれている複数のセッションのうち、光ディスクの最内周に書き込まれた最初のセッションのみを認識し、該認識した最初のセッションのみを読み出すように制御可能であることを特徴としている。
この構成を採用することによって、マルチセッション形式でデータが書き込まれた光ディスクからのデータ読み出し可能な光ディスク装置であって、マルチセッションの概念を有していない機器（例えばオーディオ機器）と接続した場合でも、マルチセッションの最初のセッションのみを認識して擬似的にシングルセッションとみなすことができ、データの読み出しを行なうことができる。
【００１１】
また、光ディスクに書込まれている複数のセッションのうち、光ディスクの最内周に書き込まれた最初のセッションのみを認識し、該認識した最初のセッションのみを読み出すように制御手段を動作させるか、または複数セッションの全てを認識し、全てのセッションを読み出すように制御手段を動作させるかをユーザが選択可能な動作選択スイッチを設けたことを特徴としてもよい。
この構成を採用することで、オーディオ機器に組み込まれた場合であっても光ディスクに書き込まれたデータの読み出しを確実に行なうような動作が行なわれるように、ユーザが選択することができる。
【００１２】
さらに、デジタルデータをアナログデータに変換して音声信号として再生可能なオーディオ機器に接続可能であって、該オーディオ機器から送信されてくるコマンドにより動作制御され、且つマルチセッション方式でデータが書込まれた光ディスクからデータを読み出すように制御する制御手段を具備する光ディスク装置において、オーディオ機器から送信されてくるコマンドであって、光ディスクに書き込まれている複数のセッションのうち、光ディスクの最内周に書き込まれた最初のセッションのみを認識し、該認識した最初のセッションのみを読み出すように制御手段を動作させるか、または複数セッションの全てを認識し、全てのセッションを読み出すように制御手段を動作させるかを指定する指定コマンドを受け付ける受信手段を具備し、前記制御手段は、該受信手段が受信した指定コマンドの内容に基づいて、光ディスクの最内周に書き込まれた最初のセッションのみを認識し、該認識した最初のセッションのみを読み出すように制御するか、または複数セッションの全てを認識し、全てのセッションを読み出すように制御するかどちらか一方の動作を行なうことを特徴としている。
これによれば、光ディスク装置がオーディオ機器に組み込まれるか、または単に接続された場合であっても、光ディスクがマルチセッション方式で書き込まれていても最内周のセッションのみを認識して擬似的にシングルセッションとみなすことができ、データの読み出しができるような動作を選択することができる。
【００１３】
【発明の実施の形態】
以下、本発明の好適な実施の形態を添付図面に基づいて詳細に説明する。
（第１実施形態）
まず、図１に光ディスク装置の内部構造についてのブロック図を示し、これに基づいて本実施形態の構成を、それらの動作と共に説明する。なお、ここでいう光ディスク装置としては、光ディスクに対してデータを書込みおよび光ディスクからのデータの読み出し機能の両者を備えているものであっても、読み出し機能のみを備えているものであってもどちらでもよい。
光ディスク装置３０は、光ディスク１０に照射するレーザ光を発振するレーザダイオード（図示せず）および光ディスク１０からの反射光を受けるフォトディテクタ（図示せず）を有する光ピックアップ１９を具備している。
【００１４】
光ピックアップ１９は、光ディスク１０のトラッキング方向へ光ピックアップ１９を移動させる送り機構２０によって移動可能に設けられている。送り機構２０は、光ピックアップ１９がスライド可能に支持されているスレッド軸（図示せず）や送りモータ（図示せず）等から構成される。
光ディスク１０は、スピンドルモータ２２の回転軸に設けられたターンテーブル上に載置され、スピンドルモータ２２の駆動によって回転する。
【００１５】
スピンドルモータ２２の光ディスク１０の回転、光ピックアップ１９内の対物レンズ（図示せず）のトラッキング、光ピックアップ１９内の対物レンズのフォーカスおよび光ピックアップ１９の送り機構２０の制御は、サーボ制御手段２４が行なう。サーボ制御手段２４としては、サーボプロセッサが挙げられる。
【００１６】
サーボ制御手段２４は、光ディスク１０から反射してきた反射光の強度信号からＲＦアンプ２６によって抽出された誤差信号ｆおよび、制御部２８からの制御信号ｅに基づいて各サーボ系の制御を行なう。
すなわち、サーボ制御手段２４は、対物レンズのトラッキングやフォーカス等の各サーボ制御を制御信号ａ，ｂによって行ない、さらに制御部２８からのアドレス信号に基づき、指示されたアドレスに光ピックアップ１９が移動するように送り機構２０の制御を制御信号ｃによって行ない、ＲＦアンプ２６からの誤差信号および制御部２８からの制御信号ｅに基づいたサーボ制御手段２４からの制御信号ｄによってスピンドルモータ２２の回転制御が行なわれる。
【００１７】
光ディスク１０から読み出したデータは、ＲＦアンプ２６からデコーダ２９に入力されてデコードされ、制御部２８へ入力される。
制御部２８は、ＣＰＵ、メモリ３１等から構成されており、メモリ３１内に予め記憶されているファームウェア等の制御プログラムに基づいて、光ディスク装置３０の全体動作を統括制御する。特許請求の範囲の制御手段が制御部２８に該当する。
【００１８】
光ディスク装置３０は、ユーザが操作可能な動作選択スイッチ３２を具備している。動作選択スイッチ３２は、ユーザが操作しやすいよう、光ディスク装置３０の外壁面から突出して設けられている。また、動作選択スイッチ３２は、制御部２８に接続されている。
動作選択スイッチ３２を切り換えることで、装着された光ディスク１０のデータ形式をマルチセッション形式に対応したイニシャライズを行なうか、マルチセッション形式で書き込まれたデータであってもマルチセッションであることを無視して行なうかいずれの動作をするかが選択される。
【００１９】
動作選択についてもう少し具体的に説明する。
制御部２８には、上記したように複数の制御プログラムが記録されたメモリ３１が設けられている。
動作選択スイッチ３２が一方側に切り換わっていると、マルチセッション形式で書き込まれたデータの読み出しが行なえるように、イニシャライズ時にマルチセッションであるか否かを確認し、複数のセッション全てを認識する制御プログラムＡ（マルチセッション対応）が、メモリ３１から読み出されて動作する。
一方、動作選択スイッチ３２が他方側に切り換わっていると、装着されている光ディスク１０がマルチセッション形式で有るか否かにかかわらず最初（最内周）に認識されたセッションのみを読み出すように制御する制御プログラムＢ（マルチセッション非対応）が、メモリ３１から読み出されて動作する。
【００２０】
なお、各制御プログラムが選択され、１つのセッションのみが認識されるか、または全セッションが認識された結果、その認識結果は、装着されている光ディスクが排出されるまでの間、制御部２８内のメモリ領域の一部である認識保持手段３５に保持される。
このため、光ディスク装置３０は、その後オーディオ機器４０等からデータ読み出しの命令等を受けた場合であっても、認識保持手段３５に保持された結果より、全セッションを読み出し可能とするか、１つのセッションしかない光ディスクであるとして読み出しを行なうことができるか、読み出しエラーを生じないようにすることができる。
【００２１】
光ディスク装置３０は、ＳＣＳＩ、ＵＳＢ、ＡＴＡＰＩ等のインターフェースからなる入出力部３４（特許請求の範囲の受信手段に該当する）を介してオーディオ機器４０とケーブル４１によって接続可能である。
【００２２】
オーディオ機器４０としては、光ディスク装置３０から転送されてくるオーディオデータを受信する受信部、受信したオーディオデータをＤ／Ａ変換して増幅するアンプ部、音声出力するスピーカ等を含む構成の機器が挙げられる。
また、オーディオ機器４０は、ユーザの操作によって光ディスク装置３０への各コマンドを出力することもできる機器である。
【００２３】
次に、読み出すべき光ディスクを装着した際の、本発明の光ディスク装置の動作（特にイニシャライズ動作）について図２に基づいて説明する。
まず、ステップＳ１００において、光ディスク装置３０に光ディスク１０を装着すると、図示しない光ディスク認識手段が、光ディスク１０が装着されたことを制御部２８に通知し、制御部２８が光ディスク１０が装着されたことを認識する。
【００２４】
次のステップＳ１０２より、制御部２８はメモリ３１内の制御プログラムを読み出し、この制御プログラムに基づいて光ディスク１０のイニシャライズを開始する。このとき、制御部２８は、動作選択スイッチ３２がどちらに切り換えられているかを判断し、動作選択スイッチ３２によって指示されている方の制御プログラムを読み出して実行する。
動作選択スイッチ３２がマルチセッション形式で全セッションのデータを読み取る側（マルチセッション対応）に切り換わっていればステップＳ１０４へ移行する。
動作選択スイッチ３２がマルチセッション形式には対応せず、最初のセッションだけ読み出す側（マルチセッション非対応）に切り換わっていればステップＳ１０３へ移行する。
【００２５】
動作選択スイッチ３２の選択によって、マルチセッション形式でデータを読み出す場合には、以下の通りの動作が行なわれる。
まず、ステップＳ１０４において、制御部２８が最内周に位置するリードインを読み出して最内周に位置するセッションを認識しようとする。
次のステップＳ１０６では、制御部２８が、光ディスク１０がマルチセッションであるかどうかの判定をする。具体的には、光ディスク１０がマルチセッションであるならば最内周のリードインにマルチセッションである旨が記述されているので、制御部２８は、最内周のリードインを読み出すことで装着された光ディスク１０がマルチセッションであるか否かを判定できる。
制御部２８は、光ディスク１０がマルチセッションであると判定した場合には、ステップＳ１０８へ移行する。
一方、最内周のリードインにマルチセッションである旨の記述が無かった場合には、制御部２８は、この光ディスク１０はマルチセッションではないと判定し、ステップＳ１０７へ移行する。
ステップＳ１０７では、存在するセッションのＴＯＣ情報の読み出し、およびユーザデータの有無が確認され、イニシャライズ動作が終了する。
【００２６】
マルチセッションであると判断された場合のステップＳ１０８においては、制御部２８が光ディスク１０中の各セッションを内周から外周に向けて順次認識していく。
各セッションの認識を詳細に説明すると以下の通りである。
すなわち、制御部２８は、まず最初のセッションのユーザデータの有無を確認しユーザデータが無い場合には読み出しエラーとして処理する。そして次のセッションのユーザデータの開始アドレスを読み取り、次のセッションへジャンプする。次のセッションにおいても同様にユーザデータの有無を確認する。
【００２７】
ステップＳ１１０では、制御部２８は、そのセッションが光ディスク１０中の最後のセッションであるかどうかを確認するようにしている。これが最後のセッションである場合には、セッションの認識はこれで終了する。一方、このセッション以降にまだセッションが存在する場合には、ステップＳ１０８へ戻り、次のセッションの認識を行なう。
【００２８】
マルチセッション非対応とした場合の動作について説明する。
ステップＳ１０３では、制御部２８は、マルチセッションであるか否かにかかわらず、最内周に位置するセッションのみを認識する。
かかる場合のセッションの認識は、ＴＯＣ情報の読み出し、ユーザデータの有無の確認をして終了する。
【００２９】
このようにして、マルチセッション形式の認識ができないオーディオ機器に接続された光ディスク装置であっても、複数のセッションのうちの最内周のセッションのみを認識する。
【００３０】
（第２実施形態）
以下、オーディオ機器からのコマンドによってマルチセッション対応か非対応かの動作を切り換えることができる光ディスク装置について、図３および図４に基づいて説明する。
なお、上述した実施形態と同一の構成要素については同一の符号を付し、説明を省略する。
【００３１】
図３に示すように、本実施形態の光ディスク装置３０自体には、動作選択スイッチが設けられておらず、接続されたオーディオ機器４０からのコマンドにより、制御部２８のメモリ３１に記憶されている制御プログラムの動作を切り換えることができる。
オーディオ機器４０からのコマンドは、入出力部３４（特許請求の範囲でいう受信手段）で受信され、制御部２８へ転送される。制御部２８では、入力してきたコマンドに基づいて、マルチセッションに対応した制御を行なう制御プログラムＡか、あるいはマルチセッションには非対応の制御プログラムＢのどちらかを読み出し、読み出した制御プログラムによって動作する。
【００３２】
コマンドは、オーディオ機器４０の図示しない制御部（ＣＰＵやメモリから構成される）で発生されるが、図に示すように動作選択スイッチ４２をオーディオ機器４０に設け、ユーザがこの動作選択スイッチ４２を操作することによって、制御部からコマンドを発生させるようにするとよい。
【００３３】
図４に、読み出すべき光ディスクを装着した際の、本実施形態の光ディスク装置の動作（特にイニシャライズ動作）について図示するので、これに基づいて光ディスク装置の動作を説明する。
まず、ステップＳ２００において、光ディスク装置３０に光ディスク１０を装着すると、図示しない光ディスク認識手段が、光ディスク１０が装着されたことを制御部２８に通知し、制御部２８が光ディスク１０が装着されたことを認識する。
【００３４】
次のステップＳ２０２より、制御部２８はメモリ３１内の制御プログラムを読み出し、この制御プログラムに基づいて光ディスク１０のイニシャライズを開始する。このとき、制御部２８は、オーディオ機器４０から入力されたコマンドがどちらを適用するかを判断し、コマンドよって指示されている方の制御プログラムを読み出して実行する。
コマンドがマルチセッション形式でデータを読み取るように指示していればステップＳ２０４へ移行し、コマンドがマルチセッション形式には対応せず、最初のセッションだけ読み出すように指示していればステップＳ２０３へ移行する。
【００３５】
動作選択スイッチ３２の選択によって、マルチセッション形式でデータを読み出す場合には、以下の通りの動作が行なわれる。
まず、ステップＳ２０４において、制御部２８が最内周に位置するリードインを読み出して最内周に位置するセッションを認識しようとする。
次のステップＳ２０６では、制御部２８が、光ディスク１０がマルチセッションであるかどうかの判定をする。具体的には、光ディスク１０がマルチセッションであるならば最内周のリードインにマルチセッションである旨が記述されているので、制御部２８は、最内周のリードインを読み出すことで装着された光ディスク１０がマルチセッションであるか否かを判定できる。
制御部２８は、光ディスク１０がマルチセッションであると判定した場合には、ステップＳ２０８へ移行する。
一方、最内周のリードインにマルチセッションである旨の記述が無かった場合には、制御部２８は、この光ディスク１０はマルチセッションではないと判定し、ステップＳ２０７へ移行する。
ステップＳ２０７では、存在するセッションのＴＯＣ情報の読み出し、およびユーザデータの有無の確認がされてイニシャライズ動作が終了する。
【００３６】
マルチセッションであると判断された場合のステップＳ２０８においては、制御部２８が光ディスク１０中の各セッションを内周から外周に向けて順次認識していく。
なお、各セッションの認識の詳細は上述したとおりであり、省略する。
【００３７】
ステップＳ２１０では、制御部２８は、そのセッションが光ディスク１０中の最後のセッションであるかどうかを確認するようにしている。最後のセッションを読み出している場合には、セッションの認識はこれで終了する。一方、このセッション以降にまだセッションが存在する場合には、ステップＳ２０８へ戻り、次のセッションの認識を行なう。
【００３８】
マルチセッション非対応とした場合の動作について説明する。
ステップＳ２０３では、制御部２８は、マルチセッションであるか否かにかかわらず、最内周に位置するセッションのみを認識する。
かかる場合のセッションの認識は、ＴＯＣ情報の読み出し、ユーザデータの有無の確認をして終了する。
【００３９】
なお、上述した両実施形態では、光ディスク装置またはオーディオ機器には動作選択スイッチが設けられ、ユーザがどちらか一方の動作を選択可能であった。しかし、光ディスク装置に、オーディオ機器に接続された場合と通常のコンピュータに接続された場合のどちらに接続されたかを判別する判別手段を設け、判別手段によってオーディオ機器と接続された判断された場合に、光ディスクの最内周に書き込まれた最初のセッションのみを認識し、認識した最初のセッションのみを読み出すように制御するように動作し、コンピュータに接続されたと判断された場合に複数セッションの全てを認識し、全てのセッションを読み出すように動作することを制御部が自動選択するよう設けられていても好適である。
【００４０】
以上本発明につき好適な実施形態を挙げて種々説明したが、本発明はこの実施形態に限定されるものではなく、発明の精神を逸脱しない範囲内で多くの改変を施し得るのはもちろんである。
【００４１】
【発明の効果】
本発明に係る光ディスク装置によれば、マルチセッション形式でデータが書き込まれた光ディスクからのデータ読み出し可能な光ディスク装置であって、マルチセッションの概念を有していない機器と接続した場合でも、最初のセッションのみを認識して擬似的にシングルセッションとみなすことができ、データの読み出しを行なうことができる。
【００４２】
また、請求項２に係る発明によれば、マルチセッション形式の場合に全セッションを読み出し可能とするか、また最内周のセッションのみを読み出し可能とするかをユーザが選択できる。
【００４３】
請求項３に係る発明によれば、マルチセッション形式でデータが書き込まれた光ディスクからのデータ読み出し可能な光ディスク装置であって、マルチセッションの概念を有していないオーディオ機器と接続した場合でも、最初のセッションのみを認識して擬似的にシングルセッションとみなすことができ、データの読み出しを行なうことができる。
【図面の簡単な説明】
【図１】本発明に係る光ディスク装置の内部構成を説明するブロック図である。
【図２】光ディスク装置のイニシャライズ時の動作を説明するフローチャートである。
【図３】本発明に係る光ディスク装置の第２実施形態の内部構成を説明するブロック図である。
【図４】第２実施形態の光ディスク装置のイニシャライズ時の動作を説明するフローチャートである。
【図５】マルチセッションの概念図である。
【図６】マルチセッションのデータ構造を説明する説明図である。
【符号の説明】
１０　光ディスク
１９　光ピックアップ
２０　移動機構
２２　スピンドルモータ
２４　サーボ制御手段
２６　ＲＦアンプ
２８　制御部
２９　デコーダ
３０　光ディスク装置
３２，４２　動作選択スイッチ
３４　入出力部
３５　認識保持手段
４０　オーディオ機器
４１　ケーブル
【図１】
2004127362.tif 000003
【図２】
2004127362.tif 000004
【図３】
2004127362.tif 000005
【図４】
2004127362.tif 000006
【図５】
2004127362.tif 000007
【図６】
2004127362.tif 000008